(57)【要約】【課題】固体撮像素子の画素数に制約を与えず、かつ光軸の調整を簡単に行うことができるカメラを提供すること。【解決手段】撮影時にだけ、反射ミラー１１１を、被写体光を導ける撮影位置まで突出させ、カメラボディ１０１の高さ方向に配備された撮影レンズに被写体光を導き、撮影を行う。また撮影を行わないときには、反射ミラー１１１をカメラボディ１０１内に収納し、コンパクトな形で携帯することができるカメラにすることができる。【選択図】　　　　図２
2004020849.tif 000002
【特許請求の範囲】
【請求項１】
被写体からの光を取り込んで所定の撮影面上に結像させる撮影レンズを備え、該撮影面上に結像された被写体像を捉えることにより撮影を行うカメラにおいて、
前記撮影レンズを、該撮影レンズの光軸を撮影時における被写体方向とは異なる方向に向けて収容するカメラボディ、および
被写体からの光を反射して前記撮影レンズに導く撮影位置と、前記カメラボディを構成するいずれかの面に沿って配置される収納位置との間で移動自在な反射ミラーを備えたことを特徴とするカメラ。
【発明の詳細な説明】
【０００１】
【発明の属する技術分野】
本発明は、被写体からの光を取り込んで所定の撮影面上に結像させる撮影光学系を備えたカメラに関する。
【０００２】
【従来の技術】
カメラの超薄型化に伴い、反射ミラーを備えた撮影光学系がカメラ内に配備されたカメラが知られている。このような撮影光学系としては特開平１１−２５８６７号公報のものなどが挙げられる。
【０００３】
従来のカメラでは撮影レンズからフィルムあるいは固体撮像素子まで撮影光を直線的に導くため、どうしても焦点距離などを保つためにカメラボディに厚みが必要とされてきている。この厚みが薄型化の壁になっているが、反射ミラーを備えた撮影光学系の発案により、この壁が破られ、より一層の薄型化が実現可能な状況となってきている。
【０００４】
【発明が解決しようとする課題】
このように反射ミラーを使用した撮影光学系を備えたカメラでは、被写体光をカメラ内に配備された撮影光学系に導く経路の中間部に反射部材が置かれている。このような場合には対物レンズによって集光された被写体光を反射ミラーで反射させ、後群のレンズに導く。このため、反射部材の傾きが少しでも変わると後群のレンズで固体撮影素子の撮影面上に導かれる被写体光が歪曲する率が倍加されるという欠点を有する。
【０００５】
このことは撮影光学系の光軸の調整が非常に難しいということを意味しており、その難しさ故に光軸の調整に多大なる手間が掛かるということを示唆している。このようなことから途中に反射部材を配置した撮影光学系を採用した場合、電子カメラでは２００万画素程度の画素数の固体撮像素子が限界であり、それ以上の画素数の固体撮像素子を使用しても撮影光学系の分解能がそれに追いつかないという問題がある。
【０００６】
本発明は、上記事情に鑑み、固体撮像素子の画素数に制約を与えず、かつ光軸の調整を簡単に行うことができるカメラを提供することを目的とする。
【０００７】
【課題を解決するための手段】
上記目的を達成する本発明のカメラは、被写体からの光を取り込んで所定の撮影面上に結像させる撮影レンズを備え、該撮影面上に結像された被写体像を捉えることにより撮影を行うカメラにおいて、
前記撮影レンズを、該撮影レンズの光軸を撮影時における被写体方向とは異なる方向に向けて収容するカメラボディ、および
被写体からの光を反射して前記撮影レンズに導く撮影位置と、前記カメラボディを構成するいずれかの面に沿って配置される収納位置との間で移動自在な反射ミラーを備えたことを特徴とする。
【０００８】
上記カメラによれば、撮影光学系の途中には反射部材は置かずに、光軸に沿ってもっとも被写体に近い対物レンズよりも被写体側に、反射ミラーを置き、反射ミラーで被写体光を反射させてカメラボディ内に収容された撮影光学系に被写体光を導く。この場合、反射ミラーの取付角度が少々ずれても、そのずれは撮影画角のずれであって、撮影画角は撮影者が自在に調整することができ、したがって高画素数の固体撮像素子にも耐える分解能を得ることができ、高画質の画像を得ることができる。
【０００９】
また、撮影を行わないときには反射ミラーを撮影位置から移動させ、カメラボディを構成するいずれかの面に沿って配置される収納位置へ収納される。したがって、この反射ミラーが備えられていても高い携帯性が確保される。
【００１０】
反射ミラーは、撮影画角を充分にカバーする広さを有する必要があり、撮影光学系が焦点距離調整可能な撮影光学系の場合、最大広角に設定したときであっても撮影画角全域をカバーする広さを有する必要がある。
【００１１】
【発明の実施の形態】
以下、本発明の実施形態について説明する。
【００１２】
図１（ａ）は本発明の実施形態を示すカメラの外観を示す構成斜視図である。
【００１３】
また、図１（ｂ）はカメラの背面図である。
【００１４】
本実施形態のカメラ１００のカメラボディ１０１は、薄型構造であって、カメラボディ１０１内には撮影を行うための撮影光学系１１０と被写体に閃光を発光するための閃光発光装置（図示せず）とが備えられている。この撮影光学系１１０はポップアップカバー１０１ａ内に収容されており、このポップアップカバー１０１ａが撮影時にはカメラボディ１０１上方にポップアップされる。なお、カメラボディ１０１には閃光発光窓１０３とファインダの対物窓１０４とが設けられている。
【００１５】
さらに撮影を行うときには撮影の開始指示をカメラ内の撮影処理部に与えるレリーズ釦１０４がカメラボディ上部に設けられている。
【００１６】
また、図１（ｂ）に示すように本実施形態のカメラ１００には表示装置も備えられており、カメラ背面側にはその表示装置の表示パネル１２０が配設されている。その表示パネル１２０に表示される被写体像ででも、ファインダ窓１０３から導かれる被写体光ででも、どちらでもフレーミングが行えるような構成になっている。
【００１７】
図２は撮影光学系１１０の構成を示す図であり、図２（ａ）には撮影を行う場合に撮影光学系１１０に被写体光を導くための反射ミラー１１１がポップアップされた状態が示されており、図２（ｂ）には撮影を行わないときに反射ミラー１１１が収納された状態が示されている。
【００１８】
図２（ａ）に示すように本実施形態のカメラ１００では、反射ミラー１１１がポップアップカバー１０１ａとともにポップアップされ、反射ミラー１１１を経由した被写体光がそのポップアップカバー１１１ａ内に配設された後群の撮影レンズ１１２〜１１４に導かれる構成になっている。この反射ミラー１１１は、撮影画角を充分にカバーする広さを有するものであり、後群の撮影レンズ１１２〜１１４で焦点距離調整を行った場合に撮影画角全域をカバーする広さを有するものである。この撮影レンズ１１２〜１１４は、それぞれレンズ枠１１２ａ〜１１４ａに嵌め込まれており、そのレンズ枠１１２ａ〜１１４ａが移動自在にレンズ鏡胴部１１５に保持されている。これらのレンズ枠１１２ａ〜１１４ａが移動することにより焦点あるいはズームの調節などが行われ、被写体光がそれらの撮影レンズ１１２〜１１４により固体撮像素子１１６の撮影面上に結像される。
【００１９】
カメラボディ１０１の構成部材であるポップアップカバー１０１ａは、同じくカメラボディの構成部材である外装カバー１０１ｂの内面に沿って移動することが自在な構造を有している。このポップアップカバー１０１ａ内部に上記の撮影レンズ１１２〜１１４が配設されており、ポップアップカバー１１６とともに撮影レンズ１１２〜１１４も移動するようになっている。撮影が行われるときにはそれらの撮影レンズ１１２〜１１４に被写体光を導くための反射ミラー１１１がポップアップカバー１０１ａごと、カメラボディ１０１を構成する外装カバー１０１ｂ上方にポップアップされる。この反射ミラー１１１はミラーホルダ１１１ａに嵌め込まれており、このミラーホルダ１１１ａの一方の側には、そのミラーホルダ１１１ａとでくの字形を描くように保持部材１１１ｂが延設されている。この保持部材１１１ｂと反射ミラー１１１とで構成される反射ミラー保持部はくの字形状からなり、そのくの字形状を描く保持部の曲がり部に、ポップアップカバー１０１ａに設けられた支軸を受け入れるための孔１１１ｃが穿設されている。この孔１１１ｃがポップアップカバー１０１ａに設けられた支軸に挿通され、その支軸を中心に、くの字形状を描く反射ミラー保持部が回動自在に軸支される。
【００２０】
ここで、この反射ミラー１１１がポップアップされる位置は反射ミラー１１１に導かれる被写体光がカメラボディにけられず、かつ後群の撮影レンズ１１２〜１１４に被写体光を残らず導ける位置にあることが好ましい。図２に示した被写体光の入射経路でも分かるように撮影画角が広がったとしても、反射ミラー１１１の端部まで有効に活用されて後群の撮影レンズ１１２〜１１４に光が導かれ、それらの撮影レンズで固体撮像素子１１６に被写体像が結像される。
【００２１】
このように撮影光学系の途中に置かれる場合よりも大きくなってしまう反射ミラー１１１をカメラボディ１０１内に配設する場合には、カメラボディ１０１内に収納される位置と、撮影位置との間を、その比較的大きな反射ミラー１１１が滑らかに移動するような移動機構がカメラボディ１０１内にコンパクトに設けられていることが望まれる。また、ポップアップされたときの反射ミラー１１１の姿勢が所定の姿勢に保たれ、正しく被写体光を反射させ、撮影レンズ１１２〜１１４まで導くための保持機構を有する構造であることも望まれる。さらにこの比較的大きな反射ミラー１１１がカメラボディ１０１内に収納されたときにはカメラボディ内のスペースをあまり大きく採らないように収納されることが望まれる。
【００２２】
この移動機構と保持機構と収納機構を兼ねた機構を、図３を参照して詳細に説明する。
【００２３】
図３は撮影位置と収納位置との間を反射ミラー１１１が移動することを自在にした移動機構を示す図である。図３（ａ）はポップアップされ、撮影位置に反射ミラー１１１がポップアップされたときの状態を示す図であり、また図３（ｂ）は反射ミラー１１１がカメラボディ１０１内に収納されたときの状態を示す図である。
【００２４】
図３（ａ）に示すようにカメラボディ１０１を構成する外装カバー１０１ｂの内面には、収納位置と、撮影位置とを反射ミラーが移動するときに反射ミラーを案内するためのカム溝１１７が設けられている。このカム溝１１７の両端の終端部１１７ａ，１１７ｂがそれぞれ収納位置と撮影位置に対応している。
【００２５】
まず収納されている状態を説明する。
【００２６】
図３（ｂ）に示すように、このカム溝１１７の一方の終端部１１７ａに保持部材１１１ｂとの連結部材になるカムフォロワ１１１ｄが係合されている。この終端部１１７ａの位置が収納位置を示しており、この終端部１１７ａにカムフォロワ１１１ｄがあるときに反射ミラー１１１がポップアップカバー１０１ａの内面に沿って収納される。このように小さな収納スペースに、撮影光学系の途中に反射ミラーが置かれるときよりも大きな形状を有する反射ミラー１１１を上手に収納している。
【００２７】
反射ミラー１１１が収納されているときにたとえば手動でポップアップカバー１０１ａが上方に引き上げられると、そのポップアップカバー１０１ａの動きにしたがってミラーホルダ１１１ａと保持部材１１１ｂとで構成されるくの字形の保持部とともに反射ミラー１１１が回動しながら動き始める。そうして保持部材１１１ｂが備えるカムフォロワ１１１ｄが他方の終端部１１７ｂに当接するまで動くと、反射ミラー１１１を撮影位置まで動かすことができる。このカム溝１１７の終端部１１７ｂまでカムフォロワ１１１ｄが動くと、反射ミラーの保持部とともに反射ミラー１１１が所定の撮影位置にポップアップされる。
【００２８】
なお、このポップアップされた状態はたとえばストッパなどで保持されたままになる。この状態で撮影が行われる。
【００２９】
撮影を終えて、ポップアップされた反射ミラー１１１をカメラボディ内に収納するときには、ポップアップカバー１０１ａを外装カバー１０１ｂ側へ押すと、たとえばストッパがはずれ、カムフォロワ１１１ｄがカム溝１１７に沿って動き、収納位置を示す終端部１１７ａに当接する。そうすると、図３（ｂ）に示したようにコンパクトに反射ミラー１１１がカメラボディ１０１内面に接して収納される。
【００３０】
したがって、撮影を行うときに、たとえば手動でポップアップカバー１０１ａを外装カバー１０１ｂに沿って上方に引き出せば、外装カバー１０１ｂ内面に設けられたカム溝１１７に沿ってポップアップカバー１０１ａと一緒にカムフォロワ１１１ｄが移動し、反射ミラー１１１がポップアップされ撮影位置に保持され、反対に収納するときには、たとえばポップアップカバー１０１ａを外装カバー１０１ｂ側へ押し込めば外装カバー１０１ｂに沿ってポップアップカバー１０１ａとともに反射ミラー１１１も収納される。
【００３１】
つまり、保持部材１１１ｂとミラーホルダ１１１ａとで構成されるくの字形の保持部の曲がり部に孔１１１ｃを設け、その孔１１１ｃに支軸を挿通して、くの字形の保持部を、その支軸を中心に回動自在にすることにより、反射ミラー１１１を所定の傾きでポップアップさせることも、ポップアップカバー１０１ａの内面に沿って反射ミラー１１１を収納することも簡単に行えるようにしている。
【００３２】
このようにしておくと、ミラーホルダ１１１ａと保持部材１１１ｂとからなるくの字形の反射ミラー保持部を組み込むだけで、反射ミラーを動かしながら光軸の調整を行うといった手間が省けるという効果もある。
【００３３】
また、光軸の調整が必要なくなると、組立時に調整を行う手間が省け、組立時間が短縮されるという効果もある。さらには、光軸の調整が不必要な反射ミラーがポップアップされたときには、撮影レンズで焦点距離が調整され、撮影画角が広げられたとしても、撮影画角は撮影者が自在に設定できるものであり、従来のように撮影光学系の途中に反射ミラーを置き、反射させる訳ではないので、撮影光学系での被写体光の歪曲がそれほど目立たなくなり、撮影画角内の被写体光を残らず高画素数の固体撮像素子まで導くことができる。したがって高画素数を有する固体撮像素子が配設されていたとしても、それに耐えるだけの分解能を有する撮影光学系が実現される。
【００３４】
以上説明したように本発明のカメラによれば、撮影時には、撮影画角をカバーするために必要な大きさを持つ反射ミラーをカメラボディからポップアップさせることにより、固体撮像素子の分解能にも耐えるための分解能を得て、撮影レンズを経て固体撮像素子まで被写体光を導くことができる。したがって撮影光学系の中間部に反射ミラーを設けたときとは異なり、固体撮像素子の画素数が多くなっても、ポップアップされた反射ミラーによって被写体光を固体撮像素子の撮影面に導くことができる。
【００３５】
さらには、撮影光学系の途中に反射ミラーを置くときとは異なり、比較的大きくなりがちな反射ミラーを、コンパクトなカメラボディ内面に接するようにして収納することができるので、カメラボディの薄型化にも多大なる効果を発揮する。
【００３６】
【発明の効果】
以上、説明したように、本発明のカメラによれば、固体撮像素子の画素数に制約を与えず、かつ光軸の調整を簡単に行うことができるカメラを提供することができる。
【図面の簡単な説明】
【図１】本発明の実施形態を示すカメラの外観を示す図である。
【図２】図１に示すカメラの撮影光学系を示す図である。
【図３】反射ミラーを移動させる移動機構を示す図である。
【符号の説明】
１００　　カメラ
１０１　　カメラボディ
１０１ａ　　外装カバー
１０１ｂ　　ポップアップカバー
１０２　　レリーズ釦
１０３　　閃光発光窓
１０４　　ファインダ対物窓
１１０　　撮影光学系
１１１　　反射ミラー
１１１ａ　　ミラーホルダ
１１１ｂ　　保持部材
１１１ｃ　　カムフォロワ
１１２〜１１４　　撮影レンズ
１１５　　レンズ鏡胴
１１６　　撮像素子
１１７　　カム溝
１１７ａ　　終端部
１１７ｂ　　終端部
１２０　　表示パネル
【図１】
2004020849.tif 000003
【図２】
2004020849.tif 000004
【図３】
2004020849.tif 000005